(57)【要約】【課題】  液充填機の吐出ノズルや液抜出し機の吸込ノズルを袋のスパウトに簡易かつ安定的に挿入し、内容液を定量充填又は定量抜出しすること。【解決手段】  袋ホルダ１０であって、底板１１と天板１２を有し、底板１１と天板１２の間に挿入した袋１０１を底板１１に載置可能にするとともに、袋１０１の上面に設けられているスパウト１０１Ａを天板１２の切欠状保持部１２Ａに差し込み保持可能にするもの。【選択図】  図２
2007091247.tif 000002
【特許請求の範囲】
【請求項１】
底板と天板を有し、底板と天板の間に挿入した袋を底板に載置可能にするとともに、袋の上面に設けられているスパウトを天板の切欠状保持部に差し込み保持可能にする袋ホルダ。
【請求項２】
請求項１に記載の袋ホルダを用いた液充填装置であって、
袋ホルダが載置されるロードセルと、
袋ホルダに保持されている袋のスパウトに挿入され、袋に液体を充填可能にする液充填機とを有してなる液充填装置。
【請求項３】
前記液体が充填された袋が投入される外箱の上面開口に投入補助ホッパを挿入可能にする請求項２に記載の液充填装置。
【請求項４】
請求項１に記載の袋ホルダを用いた液抜出し装置であって、
抜出し先容器が載置されるロードセルと、
袋ホルダに保持されている袋のスパウトに挿入され、袋から液体を抜出し可能にする液抜出し機とを有してなる液抜出し装置。
【発明の詳細な説明】
【技術分野】
【０００１】
本発明は、バッグインボックス等を構成する軟質袋のための袋ホルダに関する。
【背景技術】
【０００２】
飲料、洗剤等の液体の輸送保管用複合容器として、プラスチック製の軟質袋を段ボール箱等の外箱に挿入してなるバッグインボックスがある。
【０００３】
特許文献１には、バッグインボックスの外箱をＬ字状固定治具の底板上に載置し、袋に設けられているスパウトを外箱の側板開口から外方に突出させ、このスパウトをＬ字状固定治具の側板に設けてある切欠状保持部に差し込み保持し、袋の内容液を開栓されたスパウトから抜出し可能にするものがある。
【特許文献１】実開平6-49328
【発明の開示】
【発明が解決しようとする課題】
【０００４】
特許文献１のＬ字状固定治具は、バッグインボックスの外箱を床板上に載置して用いるため、バッグインボックスの自重で固定治具自体を安定化できる。しかしながら、Ｌ字状固定治具の側板の切欠状保持部に保持されるスパウトは横向きをなし、開栓されたスパウトは直ちに内容液を自然流出するものになる。従って、液充填機の吐出ノズルや液抜出し機の吸込ノズルを開栓されたスパウトに挿入し、内容液を定量充填又は定量抜出しする等に困難がある。
【０００５】
本発明の課題は、液充填機の吐出ノズルや液抜出し機の吸込ノズルを袋のスパウトに簡易かつ安定的に挿入し、内容液を定量充填又は定量抜出しすることにある。
【課題を解決するための手段】
【０００６】
請求項１の発明は、底板と天板を有し、底板と天板の間に挿入した袋を底板に載置可能にするとともに、袋の上面に設けられているスパウトを天板の切欠状保持部に差し込み保持可能にする袋ホルダである。
【発明を実施するための最良の形態】
【０００７】
本発明の袋ホルダ１０は、バッグインボックス１００の袋１０１を保持可能にするものである。ここで、バッグインボックス１００は、図３に示す如く、プラスチック製の可撓軟質袋１０１を段ボール箱等の四角状外箱１０２に挿入してなるものである。袋１０１は、上面にスパウト１０１Ａ（外周環状溝１０１Ｂ付）とそのキャップ１０１Ｃを備える。
【０００８】
袋ホルダ１０は、図１、図２に示す如く、底板１１と天板１２を有し、底板１１と天板１２の間に挿入した袋１０１を底板１１に載置可能にするとともに、袋１０１の上面に設けられているスパウト１０１Ａの外周環状溝１０１Ｂを天板１２の半円（Ｕ字でも可）切欠状保持部１２Ａに差し込み保持可能にする。尚、袋ホルダ１０は、底板１１の上向き背板１３と天板１２の下向き背板１４を重ね合せ、背板１３、１４同士をボルト１５で連結することにて、底板１１と天板１２を平行配置する。また、ボルト１５による背板１３、１４の相対的連結高さ位置を設定替えすることにより、底板１１と天板１２の間隔を袋１０１に適合する大きさに調整できる。
【０００９】
図３の充填包装ライン２０は、袋ホルダ１０を用いた液充填装置３０を有する。液充填装置３０は、図３、図４に示す如く、ロードセル３１と液充填機３２を有する。ロードセル３１は、ロードセルテーブル３１Ａ上にフリーローラ３１Ｂを配備し、軟質袋１０１充填後の横持ち時の抵抗を少なくしている。又、袋ホルダ１０が載置される。液充填機３２は、原液供給タンク３３に開閉バルブ３４を介して接続されている吐出ノズル３５を有し、袋ホルダ１０の切欠状保持部１２Ａに保持されている袋１０１のスパウト１０１Ａにノズル３５を挿入し、袋１０１に液体を充填可能にする。液充填機３２は、操作板３６に開閉バルブ３４のためのバルブ開きボタン３７と非常用バルブ閉じボタン３８を備えるとともに、袋１０１への充填重量設定値とロードセル３１の計量値を表示可能にする設定重量表示器３９を備える。バルブ開きボタン３７の手動押下により吐出ノズル３５を下降させてスパウト１０１Ａに挿入するとともに、開閉バルブ３４を開いて充填開始可能にする。ロードセル３１の計量値を設定重量表示器３９で表示し、ロードセル３１の計量値が設定重量表示器３９の設定値に到達した時に開閉バルブ３４を閉じるとともに吐出ノズル３５を上昇させてスパウト１０１Ａから抜去して定量充填終了とする。開閉バルブ３４の閉じ操作を設定重量表示器３９の計量信号に連動させることにより、袋１０１への定量充填を半自動化したものである。図３の開閉バルブ３４は、充填ノズル３５に内蔵されている。
【００１０】
但し、バルブ開きボタン３７の手動押下後、ロードセル３１の計量値を設定重量表示器３９で監視し、設定重量表示器３９の表示値に応じて非常用バルブ閉じボタン３８を手動押下することにより、袋１０１への定量充填を手動化することもできる。
【００１１】
充填包装ライン２０は、液充填装置３０の横に広巾ベルトコンベア４１を設け、ベルトコンベア４１の出側にシュートガイド４２を設け、シュートガイド４２の下のローラコンベア４３の上に外箱１０２を待機させる。このとき、外箱１０２の上面開口には投入補助ホッパ４４が挿入可能にされる。投入補助ホッパ４４は、図５に示す如く、外箱１０２の上面開口と概ね同一寸法の挿入角筒４４Ａを備えるとともに、挿入角筒４４Ａの上端縁から外方に拡開する拡開受口４４Ｂを備え、シュートガイド４２から落下する袋１０１を拡開受口４４Ｂにより案内して外箱１０２にコンパクトに投入する。
【００１２】
従って、充填包装ライン２０は以下の如くに動作する。
(1)手動にて、外箱１０２を組立て、底面をテープ止めし、上面開口に投入補助ホッパ４４を挿入し、この外箱１０２をシュートガイド４２の下のローラコンベア４３の上に待機させる。
【００１３】
(2)手動にて、液充填機３２の設定重量表示器３９に袋１０１への充填重量設定値を設定し、袋１０１をロードセル３１の上の定位置にセットする。スパウト１０１Ａのキャップ１０１Ｃを開栓しバルブ開きボタン３７を手動押下する。
【００１４】
(3)自動にて、吐出ノズル３５が下降してスパウト１０１Ａに挿入され、開閉バルブ３４が開き、充填開始し、ロードセル３１の計量値が設定重量表示器３９の設定値に到達し、袋１０１に設定量が充填されると、開閉バルブ３４が閉じ、吐出ノズル３５が上昇してスパウト１０１Ａから抜去される。
【００１５】
(4)手動にて、スパウト１０１Ａのキャップ１０１Ｃを閉栓し、袋１０１をベルトコンベア４１上に払い出す。
【００１６】
(5)自動にて、ベルトコンベア４１が袋１０１を搬送する。袋１０１はシュートガイド４２から投入補助ホッパ４４を介して外箱１０２に投入される。
【００１７】
(6)手動にて、外箱１０２から投入補助ホッパ４４を抜取り、外箱１０２の上面フラップを折込んでテープ止めする。充填／箱詰め終了になる。
【００１８】
図６は、袋ホルダ１０を用いた液抜出し装置５０である。袋ホルダ１０は、液充填済の袋１０１を保持する。液抜出し装置５０は、ロードセル５１と液抜出し機５２を有する。ロードセル５１は、抜出し先容器５３が載置される。液抜出し機５２は、手動ポンプ５２Ａの吸込ノズル５２Ｂを、袋ホルダ１０に保持されている袋１０１のスパウト１０１Ａに挿入し、袋１０１内の液体をサンプル採取等のために抜出して抜出し先容器５３に導く。ロードセル５１により抜出し先容器５３の重量を計量することにより、定量抜出しできる。
【００１９】
本実施例によれば以下の作用効果を奏する。
(a)袋ホルダ１０は、バッグインボックス１００用の袋１０１を底板１１上に載置して用いるため、袋１０１の自重で袋ホルダ１０自体を安定化できる。また、袋ホルダ１０の天板１２の切欠状保持部１２Ａに保持されるスパウト１０１Ａは上向きをなす。従って、液充填機３２の吐出ノズル３５を開栓されたスパウト１０１Ａに簡易かつ安定的に挿入し、内容液を定量充填することができる。
【００２０】
(b)液充填装置３０において、上述(a)の如くに、液充填機３２の吐出ノズル３５を袋１０１のスパウト１０１Ａに挿入して内容液を充填するに際し、ロードセル３１により袋ホルダ１０の減量を計量することにより、袋１０１への充填重量を検出でき、定量充填できる。
【００２１】
(c)バッグインボックス１００の外箱１０２の上面開口に投入補助ホッパ４４を挿入しておくことにより、液体が充填された袋１０１を上記投入補助ホッパ４４に案内させて外箱１０２に導入することにより、袋１０１が外箱１０２の上面フラップのエッジに触れて破袋する等を防止しながら該袋１０１をコンパクトに外箱１０２に収納できる。
【００２２】
(d)液抜出し装置５０において、上述(a)の如くに液抜出し機５２の吸込ノズル５２Ｂを袋１０１のスパウト１０１Ａに挿入して内容液を抜出しするに際し、ロードセル５１により抜出し先容器５３の重量を計量することにより、定量抜出しできる。
【図面の簡単な説明】
【００２３】
【図１】図１は袋ホルダを示し、（Ａ）は正面斜視図、（Ｂ）は背面斜視図である。
【図２】図２は袋ホルダの使用状態を示し、（Ａ）は側面図、（Ｂ）は平面図である。
【図３】図３は充填包装ラインを示す模式図である。
【図４】図４は液充填装置を示す模式図である。
【図５】図５は投入補助ホッパを示し、（Ａ）は断面図、（Ｂ）は平面図である。
【図６】図６は液抜出し装置を示す模式図である。
【符号の説明】
【００２４】
１０  袋ホルダ
１１  底板
１２  天板
１２Ａ  切欠状保持部
３０  液充填装置
３１  ロードセル
３２  液充填機
４４  投入補助ホッパ
５０  液抜出し装置
５１  ロードセル
５２  液抜出し機
５３  抜出し先容器
１０１  袋
１０１Ａ  スパウト
１０２  外箱
【図１】
2007091247.tif 000003
【図２】
2007091247.tif 000004
【図３】
2007091247.tif 000005
【図４】
2007091247.tif 000006
【図５】
2007091247.tif 000007
【図６】
2007091247.tif 000008